(57)【特許請求の範囲】
【請求項１】
円盤状記録媒体が記録及び／又は再生装置に装着される位置を規制する第１の位置決め部材と、
上記円盤状記録媒体の中心に設けられたセンタ穴に嵌合される凸部を有し、上記円盤状記録媒体のセンタ穴の外周に情報信号が記録されない中央領域より外形寸法が略小とされた第２の位置決め部材と、
上記第２の位置決め部材が回転自在に取り付けられる固定プレートと、
上記固定プレートの下側であって、上記第１の位置決め部材に一方の端部が一体に取り付けられた一対のスライド軸の他方の端部に一体に取り付けられた駆動伝達プレートと、
上記固定プレートに設けられた一対の摺動穴に挿通するように配される一対の上記スライド軸と、
回転駆動手段により回転自在に取り付けられる回転リングと、
上記駆動伝達プレートに取り付けられる駆動伝達部材と、
一方の端部を上記回転リングに回転自在に取り付けられ、他方の端部が駆動伝達部材に回転自在に取り付けられる連結棒とを備えて、
上記第１の位置決め部材は、上記回転リングの回転駆動と連動することにより上記連結棒を介して上記駆動伝達プレートに駆動伝達されスライド動作されることを特徴とする円盤状記録媒体装着装置。
【発明の詳細な説明】
【０００１】
【発明の属する技術分野】
本発明は、光ディスク、光磁気ディス等の円盤状記録媒体を記録及び／又は再生装置の所定の記録及び／又は再生位置に装着する円盤状記録媒体装着装置に関する。
【０００２】
【従来の技術】
例えば、光ディスクは、音声信号や映像信号等の所望の情報信号が高密度に記録され、或いは記録を可能とした円盤状記録媒体である。光ディスクは、記録及び／又は再生装置に装填されると中心部が記録及び／又は再生装置のディスクテーブルに支持されて回転駆動される。そして、光ディスクは、高速で回転駆動された状態で、光ピックアップ装置から出射されたレーザ光によって主面に形成された情報信号記録部に記録された情報信号が再生される。
【０００３】
また、情報信号の記録を可能とした光磁気ディスは、光ピックアップ装置から出射されたレーザ光が情報信号記録部に照射された状態で、外部磁界発生装置により記録すべき情報信号に応じて磁界変調された外部磁界が印加されることによって所望の情報信号の記録が行われる。
【０００４】
このように、光学的手段を用いて所定の情報信号の書き込み及び／又は読み出しを行う光ディスクや光磁気ディスは、記録及び／又は再生装置側のディスク挿入開口部から内部に挿入され、ディスク装着装置によりディスクテーブルに載置、支持された後、毎分数百回転から数千回転の極めて高速で回転操作され、所定の情報信号の書き込み及び／又は読み出しが行われる。
【０００５】
例えば、従来のディスク装着装置１１０は、図４に示すように、図示しない記録及び／又は再生装置のディスク挿入開口部から進入された光ディスク１００が装着された際、所定位置に光ディスク１００を支持するディスクガイド１１２と光ディスク１００側のセンタ穴１０１と光ディスク１００が載置されるディスクテーブル１１９と、ディスクガイド１１２の上下方向にスライド動作させる第１のピストン１２２と第２のピストン１２５とで構成されている。
【０００６】
ディスクガイド１１２は、下側に開口部１１３を有し断面逆凹字状を呈して構成される。ディスクガイド１１２には、開口部１１３の両端に光ディスク１００を支持するための支持部１１４が設けられている。また、ディスクガイド１１２には、両側面部に光ディスク１００の横方向のズレを規制する規制部１１５が設けられている。このように構成されるディスクガイド１１２は、光ディスク１００がディスク挿入開口部から挿入されると、この内部に装填され、光ディスク１００を支持する。
【０００７】
ディスクテーブル１１９は、ディスクガイド１１２の開口部１１３の内径寸法より小とされ、光ディスク１００の情報信号が記録されない中央領域１０２と略同径を有して形成される。そして、このディスクテーブル１１９は、図示しない記録及び／又は再生装置に固定された支持基板に回転自在に取り付けられている。また、このディスクテーブル１１９には、中心に光ディスク１００の中心部に穿設されたセンタ穴１０１に嵌合するように、凸部１２０が形成されている。この凸部１２０は、光ディスク１００がディスクテーブル１１９に装着され記録及び／又は再生が行われる際の面ぶれを防止する。
【０００８】
上述したディスクガイド１１２には、上面の中央部に第１のピストン１２２が一体に取り付けられている。この第１のピストン１２２は、第１のシリンダ１２３に上下方向に進退自在に支持されている。また、この第１のシリンダ１２３には、図示しない第１の検出センサが取り付けられている。この第１の検出センサは、第１のピストン１２２のスライド動作を検出する。
【０００９】
また、第１のピストン１２２には、上側の同一の軸線方向に位置されて第２のピストン１２５が取り付けられている。この第２のピストン１２５は、第２のシリンダ１２６によって、上下方向にスライド動作するように支持にされている。この第２のシリンダ１２６は、第１のピストン１２２のスライド動作する際の力である推力より大とした推力を発生させる。この第２のシリンダ１２６には、図示しない第２の検出センサが取り付けられている。この第２の検出センサは、第２のピストン１２５のスライド動作を検出する。
【００１０】
このように構成されるディスク装着装置１１０は、先ず、図４（ａ）に示すように、記録及び／又は再生装置のディスク挿入口部から光ディスク１００が挿入されると、ディスクガイド１１２の支持部１１４に支持されて装填される。ディスクガイド１１２は、第１のピストン１２２と一体に取り付けられていることから、第１のピストン１２２が上方向にスライド動作された状態でディスクガイド１１２が引き上げられた状態にある。したがって、光ディスク１００が装填されたディスクガイド１１２は、上述の通り記録及び／又は再生装置本体に固定されたディスクテーブル１１９の上方に位置している。この際、第１の検出センサ及び第２の検出センサは、ともにＯＦＦの状態にされている。
【００１１】
次に、ディスク装着装置１１０は、図４（ｂ）に示すように、第１のピストン１２２が幅Ａ寸法だけ下方向にスライド動作され、ディスクガイド１１２は、下方向に配置される。したがって、ディスクガイド１１２内に装填された光ディスク１００は、ディスクガイド１１２の上面部と、ディスクテーブル１１９とに挟まれた状態となり、光ディスク１００のセンタ穴１０１にディスクテーブル１１９の凸部１２０が嵌合され、ディスクテーブル１１９に載置される。この際、第１の検出センサは、第１のピストン１２２の下方向へのスライド動作が終了したことを確認検出し、ＯＮの状態とされる。一方、第２の検出センサは、ＯＦＦの状態にある。
【００１２】
そして、ディスク装着装置１１０は、図４（ｃ）に示すように、幅Ｂ寸法だけ第１のピストン１２２が上方向にスライド動作され、ディスクガイド１１２が幅Ｂ寸法だけスライド動作させる。この際、第２のピストン１２５は、第１の検出センサがＯＮとなったことを第２の検出センサが確認しＯＮの状態となり、第１のピストン１２２の上方向のスライド動作と同時に下方向にスライド動作される。一方、第１の検出センサは、第２の検出センサがＯＮの状態になったことを確認し、ＯＦＦの状態となる。そして、第２のピストン１２５は、下方向にスライド動作し、上方向にスライド動作してくる第１のピストン１２２を所定の位置で接触し停止させる。この際、光ディスク１００は、ディスクガイド１１２の空間部にディスクテーブル１１９に載置された状態にある。
【００１３】
そして、光ディスク１００は、ディスクテーブル１１９に着実に載置され、且つディスクガイド１１２に接触しない状態で、図示しない記録及び／又は再生装置側のディスク回転駆動手段１２８によって、回転操作される。
【００１４】
【発明が解決しようとする課題】
しかしながら、光ディスク１００を回転操作させるため、ディスクガイド１１２内に配置するに際してのディスクガイド１１２の上下のスライド動作は、上述の通り、第１のピストン１２２及び第１のシリンダ１２３とを用いて行われる。したがって、第２のピストン１２５及び第２のシリンダ１２６は、図４（ｃ）に示すように、上方向にスライド動作する第１のピストン１２２を所定の位置で停止させるために用いられる。このようなディスク装着装置１１０は、この構成を複雑化又は大型化させるといった問題点を生じさせる。
【００１５】
また、ディスク装着装置１１０は、第１のピストン１２２及び第２のピストン１２５のスライド動作を第１の検出センサ及び第２の検出センサで検出することにより行うことになり、光ディスク１００のディスクテーブル１１９への装着時間を長くさせるといった問題点を生じさせる。
【００１６】
そこで、本発明は、円盤状記録媒体装着装置の構成を複雑化又は大型化させること無く、円盤状記録媒体の装着時間の短縮化を図ることを目的に提案されたものである。
【００１７】
【課題を解決するための手段】
本発明に係る円盤状記録媒体装着装置は、上述のような課題を解決すべく、円盤状記録媒体が記録及び／又は再生装置に装着される位置を規制する第１の位置決め部材と、円盤状記録媒体の中心に設けられたセンタ穴に嵌合される凸部を有し、円盤状記録媒体のセンタ穴の外周に情報信号が記録されない中央領域より外形寸法が略小とされた第２の位置決め部材と、第２の位置決め部材が回転自在に取り付けられる固定プレートと、固定プレートの下側であって、第１の位置決め部材に一方の端部が一体に取り付けられた一対のスライド軸の他方の端部に一体に取り付けられた駆動伝達プレートと、固定プレートに設けられた一対の摺動穴に挿通するように配される一対のスライド軸と、回転駆動手段により回転自在に取り付けられる回転リングと、駆動伝達プレートに取り付けられる駆動伝達部材と、一方の端部を回転リングに回転自在に取り付けられ、他方の端部が駆動伝達部材に回転自在に取り付けられる連結棒とを備えて、第１の位置決め部材は、回転リングの回転駆動と連動することにより連結棒を介して駆動伝達プレートに駆動伝達されスライド動作されることを特徴とする。
【００１８】
以上のように構成された円盤状記録媒体装着装置によれば、第１の位置決め部材は、駆動手段により回転リングが回転駆動されることにより、この回転リングに取り付けられた連結棒を介して駆動伝達プレートに一体に取り付けられた第１の位置決め部材をスライド動作させる。一方、第２の位置決め部材は、固定プレートに固定されている。したがって、円盤状記録媒体装着装置は、第１の位置決め部材に記録及び／又は再生装置の円盤状記録媒体挿入開口部より円盤状記録媒体が装填されると、回転リングを一方の方向に回転動作させ第１の位置決め部材を最下位置まで下方向にスライド動作させる。したがって、円盤状記録媒体は、第１の位置決め部材の上面部と第２の位置決め部材とに挟持され、第２の位置決め部材の凸部と円盤状記録媒体のセンタ穴が嵌合される。
【００１９】
次に、円盤状記録媒体装着装置は、回転リングが他方向に回転動作され、第１の位置決め部材を円盤状記録媒体が第１の位置決め部材内で中空に位置するまで上方向にスライド動作させる。
【００２０】
【発明の実施の形態】
以下、本発明に係る円盤状記録媒体装着装置について、光ディスク１が装着されるディスク装着装置１０について、図面を参照しながら詳細に説明する。
【００２１】
ディスク装着装置１０に装着される光ディスク１は、図１に示すように、情報信号が記録されるディスク基板２から構成されている。このディスク基板２は、例えば光透過性を有する透明なポリカーボネート樹脂等の合成樹脂材料によって成形され、情報信号記録部４が形成されない中央領域３の中心部にセンタ穴５が穿設されるとともに、中央領域３の外周領域に情報信号が記録される情報信号記録部４が構成されている。情報信号記録部４は、一方の主面にセンタ穴５と同心で且つ情報信号に対応した凹凸パターンであるピットが形成されており、反射層や保護層に被覆されている。
【００２２】
ディスク装着装置１０は、図１に示すように、図示しない記録及び／又は再生装置のディスク挿入開口部から挿入された光ディスク１を保持するディスク保持機構１１と、このディスク保持機構１１をスライド動作させる駆動機構３０とから構成される。
【００２３】
ディスク保持機構１１は、光ディスク１が記録及び／又は再生装置に装着される位置を規制するディスクガイド１２と、光ディスク１の中心に設けられたセンタ穴５に嵌合される凸部１８を有し光ディスク１のセンタ穴５の外周に位置する中央領域３より外形寸法が小とされたディスクテーブル１７と、ディスクテーブル１７が回転自在に取り付けられる固定プレート２０と、固定プレート２０の下側であってディスクガイド１２に一方の端部が一体に取り付けられた一対のスライド軸２３の他方の端部に一体に取り付けられた駆動伝達プレート２２と、固定プレート２０に設けられた一対の摺動穴に挿通するように配される一対のスライド軸２３とを備えて構成される。
【００２４】
第１の位置決め部材であるディスクガイド１２は、記録及び／又は再生装置のディスク挿入開口部から挿入された光ディスク１が支持するものであり、ディスク支持部１３、規制部１４及び規制ピン１５とから構成されている。
【００２５】
ディスク支持部１３は、内形寸法が光ディスク１の外形寸法よりやや小とされ、外形寸法が光ディスク１の外形寸法よりやや大とさた半円弧状の平面板状で形成されている。そして、このディスク支持部１３には、記録及び／又は再生装置の図示しないディスク挿入開口部から装填された光ディスク１が支持される。
【００２６】
このディスク支持部１３には、支持された光ディスク１の位置決めを行うために、相対向する部位に一対の断面略く字状の規制部１４が一体に設けられている。また、ディスク支持部１３には、この両端部とこれらの中間位置に規制ピン１５が立設されてる。これら規制部１４及び規制ピン１５は、ディスク支持部１３に載置された光ディスク１を記録及び／又は再生に適した所定の位置に位置決めを行う。
【００２７】
また、このディスク支持部１３には、下方向に後述する駆動伝達プレート２２とを一体に固定するスライド軸２３が固定されている。
【００２８】
このディスク支持部１３の下側には、固定プレート２０とこの固定プレート２０にディスクテーブル１７が回転自在に取り付けられている。ディスクテーブル１７は、中心部に凸部１８を有する断面略凸字状に形成されている。
【００２９】
このディスクテーブル１７には、中心に光ディスク１のセンタ穴５と同径の凸部１８が構成されている。この凸部１８は、光ディスク１の記録及び／又は再生を行う際に、光ディスク１側のセンタ穴５と嵌合され、光ディスク１の面ぶれ等の振動に伴うズレを防止する。また、この凸部１８には、周回りにフランジ部１９が形成されている。このフランジ部１９は、光ディスク１が記録及び／又は再生される際に、光ディスク１がディスク支持部１３内で中空に浮かせた際に、光ディスク１を支持する。したがって、このフランジ部１９は、光ディスク１の情報信号が記録されない中央領域３と同径若しくは中央領域３よりやや小とされた外径寸法を有している。
【００３０】
このように構成されるディスクテーブル１７は、記録及び／又は再生装置本体に固定された固定プレート２０に回転自在に取り付けられている。そして、ディスクテーブル１７は、固定プレート２０の下側に位置するディスク回転駆動手段２１により回転駆動される。この固定プレート２０には、スライド軸２３が挿通される図示しない一対の摺動穴が穿設されている。そして、この摺動穴には、この穴径寸法を同じくする中心穴を有する円盤状の支持部材２４が配設されている。そして、この支持部材２４には、中心穴２５に内周面に潤滑材等が塗布され、スライド軸２３のスライド動作を円滑に行わせる。
【００３１】
固定プレート２０の下側には、駆動伝達プレート２２が配設されている。この駆動伝達プレート２２は、縦長の矩形形状を呈した板状に形成されている。この駆動伝達プレート２２は、この両端の近傍にスライド軸２３が一体に固定されている。
【００３２】
また、スライド軸２３は、上述したディスクガイド１２と駆動伝達プレート２２とを止めネジ等により一体に連結している。このスライド軸２３は、固定プレート２０に穿設された摺動穴に挿通されている。
【００３３】
以上のように構成されるディスク保持機構１１は、固定プレート２０を介してスライド軸２３によりディスクガイド１２と駆動伝達プレート２２とが一体に構成されている。したがって、ディスクガイド１２は、後述する駆動機構３０により、駆動伝達プレート２２と一体となって、上下方向にスライド動作する。
【００３４】
一方、ディスク保持機構１１を駆動するための駆動機構３０は、回転駆動手段により回転自在に取り付けられる回転リング３２と、駆動伝達プレート２２に取り付けられる駆動伝達部材３８と、一方の端部を回転リング３２に回転自在に取り付けられ、他方の端部が駆動伝達部材３８に回転自在に取り付けられる連結棒３３と、駆動伝達プレート２２の下側であって、駆動伝達プレート２２を上側に付勢するコイルスプリング４４とから構成されている。
【００３５】
回転駆動手段である回転駆動部３１は、図示しない駆動モータが内部に配設されている。この駆動モータには、この駆動力を駆動伝達するための図示しない駆動支軸が取り付けてあり、この駆動支軸は、回転駆動部３１の外方に露出している。そして、この駆動モータは、駆動支軸を右方向及び左方向に回転動作させる。
【００３６】
回転リング３２は、回転駆動部３１の外方に駆動支軸に取り付けられている。したがって、回転リング３２は、駆動モータによって駆動支軸を介して回転自在に動作される。
【００３７】
連結棒３３は、ロッド３４とこのロッド３４の両端部に上述した駆動伝達部材３８と回転リング３２とを一体に連結する一対の取付け部材３５とで構成されている。
【００３８】
取付け部材３５は、端部を回転リング３２及び駆動伝達部材３８に図示しない止めネジによって回転自在に取り付けられている。また、取付け部材３５は、各々ロッド３４の端部に一体に固定して取り付けてある。したがって、このように構成される連結棒３３は、回転リング３２及び駆動伝達部材３８側の端部が回転自在になるように取り付けられている。したがって、この連結棒３３は、回転リング３２の駆動力を駆動伝達プレート２２へと駆動伝達する。
【００３９】
駆動伝達部材３８は、図２に示すように、断面略凹字状の固定部３９とこの固定部３９より下方向に直行した状態を呈して形成される連結棒取付け部４０とにより構成されている。
【００４０】
固定部３９は、凹部に駆動伝達プレート２２が嵌合され、取付けピン４２により固定されている。この取付けピン４２は、固定部３９と駆動伝達プレート２２を貫通するように取り付けられてる。そして、取付けピン４２は、駆動伝達プレート２２の下方向に一定寸法だけ突出して取り付けられ、駆動伝達部材３８を固定するとともに、後述するコイルスプリング４４を支持する。この固定部３９は、凹部に駆動伝達プレート２２に嵌合させることにより、駆動伝達部材３８が右方向及び左方向にずれるのを防止している。
【００４１】
連結棒取付け部４０は、駆動伝達部材３８が駆動伝達プレート２２に取り付けられた状態で、駆動伝達プレート２２の下方向に設けられている。この連結棒取付け部４０には、後述する連結棒３３の取付け部材３５が回転自在に取り付けられ、駆動リングからの駆動力を駆動伝達プレート２２へと駆動伝達している。
【００４２】
さらには、上述した取付けピン４２には、駆動伝達プレート２２の下側であって連結棒取付け部４０の裏側に弾性部材であるコイルスプリング４４が配設されている。このコイルスプリング４４は、取付けピン４２の下側の周回りに突出形成されたスプリング止め部４３により下側に抜け落ちるのを防止されている。したがって、このコイルスプリング４４は、取付けピン４２のスプリング止め部４３と固定部３９の駆動伝達プレート２２の下側の面により弾性収縮された状態で配設されている。
【００４３】
以上にように構成されるディスク装着装置１０は、記録及び／又は再生装置のディスク挿入開口部より光ディスク１が挿入されると、図３（ａ）に示すような状態にある。すなわち、ディスク装着装置１０は、回転リング３２の回転角度θがθａ゜だけ右方向に回転駆動した状態にあり、ディスクガイド１２を上方向に持ち上げた状態にある。この際、光ディスク１は、ディスクガイド１２内に装着された状態にあり、ディスク支持部１３に支持された状態にある。また、ディスクテーブル１７は、ディスクガイド１２の外に配置された状態にある。
【００４４】
このようにディスク装着装置１０は、光ディスク１がディスクガイド１２内に装着されると、図３（ｂ）に示すように、回転駆動部３１の駆動モータが駆動し、左方向に回転駆動し、回転リング３２の回転角度θが０゜の状態にされる。これにより、ディスクガイド１２は、Ａ寸法だけ、下方向にスライド動作する。したがって、ディスクテーブル１７は、ディスクガイド１２内に進入する。そして、光ディスク１は、ディスクガイド１２の上面部１６とディスクテーブル１７により挟持された状態となり、光ディスク１のセンタ穴５にディスクテーブル１７側の凸部１８が嵌合され、ディスクテーブル１７上に確実に載置される。
【００４５】
さらに、ディスク装着装置１０は、上述のとおりディスクテーブル１７に光ディスク１が載置されると、図３（ｃ）に示すように、回転駆動部３１の駆動モータが駆動し、左方向に回転駆動し、回転リング３２の回転角度θがθｂ゜の状態にされる。これにより、ディスクガイド１２は、Ｂ寸法だけ、上方向にスライド動作する。したがって、光ディスク１は、ディスクテーブル１７上に確実に載置された状態で、ディスクガイド１２の中空部に配置される。そして、光ディスク１は、ディスク回転駆動手段２１により、ディスクテーブル１７が回転駆動し、回転操作される。そして、光ディスク１は、図示しない光学ピックアップ装置により、情報信号記録部４に記録された情報信号の読み取りが行われる。
【００４６】
一方、ディスク装着装置１０は、記録及び／又は再生装置から光ディスク１を取り出す場合には、上述した光ディスク１の装着工程の反対の工程によりおこなわれる。
【００４７】
このようにディスク装着装置１０は、光ディスク１のディスクテーブル１７への装着工程を回転駆動部３１の制御のみで行うことができることから、構造を容易にし、小型化を図ることができる。また、ディスク装着装置１０は、光ディスク１のディスクテーブル１７への装着工程を回転駆動部３１の制御のみで行うことができることから、光ディスク１のディスクテーブル１７への装着時間を短縮することができる。
【００４８】
【発明の効果】
本発明に係る円盤状記録媒体装着装置によれば、第１の位置決め部材は、この回転リングに取り付けられた連結棒を介して駆動伝達プレートに一体に取り付けられていることから、駆動手段により回転リングが回転駆動されることにより、スライド動作させる。したがって、円盤状記録媒体装着装置は、円盤状記録媒体の第２の位置決め部材への装着工程を回転駆動部のみの制御のみで行うことができることから、構造が容易にされ、小型化を図ることができる。
【００４９】
また、円盤状記録媒体装着装置は、円盤状記録媒体の第２の位置決め部材への装着時間を短縮することができる。
【図面の簡単な説明】
【図１】本発明に係るディスク装着装置の斜視図である。
【図２】同ディスク装着装置の駆動伝達部材及び取付けピンにコイルスプリングが配設された状態を示す要部側面図である。
【図３】同ディスク装着装置の駆動機構の一連の動作を示す要部縦断面図である。
【図４】従来のディスク装着装置の一連の光ディスクの取付け動作を示す要部縦断面図である。
【符号の説明】
１  光ディスク
２  ディスク基板
３  中央領域
４  情報信号記録部
１０  ディスク装着装置
１２  ディスクガイド
１７  ディスクテーブル
１８  凸部
２０  固定プレート
２２  駆動伝達プレート
２３  スライド軸
３２  回転リング
３３  連結棒
３８  駆動伝達部材
４２  取付けピン
４４  コイルスプリング
【図１】
0003763152.tif 000002
【図２】
0003763152.tif 000003
【図３】
0003763152.tif 000004
【図４】
0003763152.tif 000005